(57)【特許請求の範囲】
【請求項１】
多数の障害釘を植設してなる遊技盤が前面に設けられた遊技機であって、
前記遊技盤が、透明な合成樹脂によって形成されたものであるとともに、
前記遊技盤の裏面側に、前記遊技盤の表面側から流下した遊技球が通過可能で、夫々遊技球通路に連通する複数の開口が左右方向に並設されており、
前記遊技盤越しに前記開口を遊技者が視認可能な状態において、前記流下した遊技球が前記開口のうちの何れかから当該開口が連通する前記遊技球通路へと振り分けられるとともに、
前記遊技盤の裏面側に、前記開口のうちの１つを開閉するための開閉扉が設けられていることを特徴とする遊技機。
【請求項２】
複数の前記開口が、遊技球が入賞可能で前記開閉扉により開閉される開口部、及び遊技球を入賞させることなく回収するためのアウト球回収口であることを特徴とする請求項１に記載の遊技機。
【請求項３】
前記開閉扉が、前記遊技盤に対して直交するように設けられており、前後にスライドすることによって前記開口部を開閉するとともに、
前記開閉扉の上面が、前記開口部を覆っている状態において遊技球を前記アウト球回収口側へ導く傾斜面であることを特徴とする請求項２に記載の遊技機。
【発明の詳細な説明】
【技術分野】
【０００１】
本発明は、パチンコ機、スマートボール機等の遊技機に関するものである。
【背景技術】
【０００２】
遊技機の一種であるパチンコ機は、木質板の表面に装飾シートを貼着した遊技盤が前面の上方に設置されており、その遊技盤面上に、発射装置によって発射された遊技球を上方に導くための誘導レールが円弧状に設置されている。そして、その誘導レールの内部が遊技領域として区画されており、各種の入賞装置が設置されているとともに、多数の障害釘が植設されている。また、近年では、遊技盤の中央に設置した大型の図柄表示装置において遊技内容に合わせて動画による演出を行うパチンコ機が多く開発されている。
【０００３】
上記従来のパチンコ機においては、入賞装置の開口部内へ遊技球が入賞する様子を遊技者が確認できることが必要とされるため、遊技盤の表面に入賞装置の開口部を設ける必要があった。
【０００４】
【特許文献１】特開２００７−２８９７４０号公報
【発明の開示】
【発明が解決しようとする課題】
【０００５】
しかしながら、遊技領域のスペースは限られているため、すべての入賞装置の開口部を遊技盤の表面に設けると、残りのスペースが小さくなってしまうため、障害釘や図柄表示装置のレイアウトが限定されてしまうという不具合がある。また、遊技領域に大型の図柄表示装置等を設置することが困難である。
【０００６】
本発明の目的は、上記従来のパチンコ機が有する課題を解消し、遊技領域内のスペースを広く利用することができ、障害釘や図柄表示装置を多様にレイアウトすることが可能なパチンコ機を提供することにある。
【課題を解決するための手段】
【０００７】
かかる本発明の内、請求項１に記載された発明は、多数の障害釘を植設してなる遊技盤が前面に設けられた遊技機であって、前記遊技盤が、透明な合成樹脂によって形成されたものであるとともに、前記遊技盤の裏面側に、前記遊技盤の表面側から流下した遊技球が通過可能で、夫々遊技球通路に連通する複数の開口が左右方向に並設されており、前記遊技盤越しに前記開口を遊技者が視認可能な状態において、前記流下した遊技球が前記開口のうちの何れかから当該開口が連通する前記遊技球通路へと振り分けられるとともに、前記遊技盤の裏面側に、前記開口のうちの１つを開閉するための開閉扉が設けられていることを特徴とするものである。
【０００８】
請求項２に記載された発明は、請求項１に記載された発明において、複数の前記開口が、遊技球が入賞可能で前記開閉扉により開閉される開口部、及び遊技球を入賞させることなく回収するためのアウト球回収口であることを特徴とするものである。
【０００９】
請求項３に記載された発明は、請求項２に記載された発明において、前記開閉扉が、前記遊技盤に対して直交するように設けられており、前後にスライドすることによって前記開口部を開閉するとともに、前記開閉扉の上面が、前記開口部を覆っている状態において遊技球を前記アウト球回収口側へ導く傾斜面であることを特徴とするものである。
【発明の効果】
【００１０】
請求項１に記載の遊技機は、遊技盤が透明な樹脂で形成されているので、遊技盤の裏側に設置された開閉扉を遊技者から視認することができる。また、遊技球が通過可能で、夫々遊技球通路に連通する複数の開口、および、その開口のうちの１つを開閉するための開閉扉が遊技盤面の裏側に設置されているので、遊技盤の表面側のスペースを広く利用することができる。したがって、従来の遊技機に比べて、障害釘や図柄表示装置を多様にレイアウトすることができるので、遊技内容の趣向性を容易に高くすることができる。
【００１２】
請求項３に記載の遊技機は、開閉扉が前後にスライドすることによって開口部を開閉するため、大掛かりな駆動装置を必要とすることなく、わずかな駆動力で確実に開口部を開閉することができる。また、請求項３に記載の遊技機は、開閉扉が前後にスライドするものであるため、遊技盤の盤面に平行に設けられた開口部を開閉扉が開閉する一般的な遊技機に比べて、開閉扉を設置するための上下方向の配置スペースを低減させることができる。さらに、請求項３に記載の遊技機は、開閉扉の下側に開口部が設けられているので、開口部において球詰まり等の不具合が生じた場合に、遊技盤の前方から球詰まり等の解消処理を行い易い。すなわち、透明な遊技盤の裏面側に開閉扉を位置させた場合でも、遊技盤の盤面に平行に設けられた開口部を開閉扉が開閉するものであると、開閉扉よりも奥側（後側）に開口部が位置することになるため、球詰まり等の解消処理を行いにくい。それに対して請求項３の遊技機は、前後にスライドする開閉扉の下側に開口部が設けられているため、開口部を遊技盤の裏面際に配置させることができるので、遊技盤の前方からの球詰まり等の解消処理が容易である。加えて、開閉扉の上面が、開口部を覆っている状態において遊技球をアウト球回収口側へ導く傾斜面となっているため、開閉扉の上面で遊技球が停留したりしない。
【発明を実施するための最良の形態】
【００１３】
以下、本発明の遊技機の一実施形態であるパチンコ機について、図面に基いて詳細に説明する。
【００１４】
＜パチンコ機の構造＞
図１は、本発明に係るパチンコ機を示したものであり、パチンコ機１は、周囲が機枠２によって覆われており、前面の上部には、平板状の遊技盤３が設置されている。また、機枠２の左端縁には、前面枠４が片開き可能に設置されており、前面枠４を閉じると、前面枠４に嵌め込まれたガラス板が遊技盤３の前面を覆うようになっている。
【００１５】
図２、図３は、それぞれ、遊技盤３の表面側、裏面側を示したもの（後述する入賞装置、障害釘７，７・・の一部の記載を省略したもの）である。遊技盤３は、透明な合成樹脂（アクリル樹脂）によって平板状に形成されている。そして、表面に、誘導レール６が円弧状（円周状）に設置されており、その内部が略円形の遊技領域Ｒとして区画された状態になっている。さらに、遊技領域Ｒには、金属製の多数の障害釘７，７・・が植設されており、各種の入賞装置（図示せず）が設置されている。
【００１６】
また、遊技領域Ｒの下端際には、横長な入賞装置取付孔５が穿設されており、その入賞装置取付孔５を利用して、大入賞口として機能する大型入賞装置８が設置されている。図４は、大型入賞装置８の設置部分を上側から見た状態および右側から見た状態を示したものであり、大型入賞装置８は、ハウジング１０、開閉扉１１等によって構成されている。ハウジング１０は、図示しないネジ孔を四隅に穿設した当接板１３が前側に設けられており、その当接板１３の前方には、誘導手段として機能する誘導部材１２が組み付けられている。誘導部材１２は、上面を開口させた横長な箱状に形成されている。そして、底面が、前方から後方にかけて下向きに傾斜した状態になっている。また、誘導部材１２の基端の下側には、横長な長方形状の当着板１４が遊技盤３の盤面に対して平行に設けられており、その当着板１４の四隅には、図示しないネジ孔が穿設されている。
【００１７】
一方、ハウジング１０の裏面側には、入賞した遊技球を通過させるための入賞球通路１５が設けられている。また、図４の如く、入賞球通路１５の基端には、遊技球を入賞させるための開口部１６が設けられており、当該入賞球通路１５の先端には、入賞球を検出するための図示しない入賞球検出器２３が内蔵されている。また、大型入賞装置８の裏面側には、水平な凹溝１７を内側面に刻設した一対のガイドボス１８，１８が、後方へ突出するように平行に設けられており、平板状の開閉扉１１の両端が、それらのガイドボス１８，１８の各凹溝１７内に支持された状態になっている。
【００１８】
開閉扉１１は、底面が平坦になっており、上面が前後に沿った中心線を稜線とした屋根状になっている。そして、開閉扉１１は、遊技盤３の裏面側において、ガイドボス１８，１８の各凹溝１７内に両端を支持させた状態を保ちながら、図示しない駆動装置によって、入賞球通路１５の基端に設けられた開口部１６の上側を覆う位置と開口部１６を露出させる位置との間を、前後にスライドするようになっている。また、開閉扉１１の左右には、アウト球回収口２２，２２が設けられており、アウト球回収路（図示せず）と連通した状態になっている。
【００１９】
大型入賞装置８は、ネジ２４，２４・・を利用して当接板１３を遊技盤３の裏面に螺着することによって（図示しないネジ孔を利用して螺着することによって）、前後位置がずれない状態で遊技盤３に固定されている。また、誘導部材１２は、基端（当着板１４の後方側）を遊技盤３の表面側から入賞装置取付孔５内に挿通させ、ネジ２４，２４・・を利用して当着板１４を遊技盤３の表面に螺着することによって（図示しないネジ孔を利用して螺着することによって）前後位置がずれない状態で遊技盤３に固定されている。そして、入賞装置取付孔５内に挿入された誘導部材１２の基端が、大型入賞装置８に組み付けられた状態になっている。なお、上記の如く、入賞装置取付孔５を利用して大型入賞装置８を設置する場合には、入賞装置取付孔５の幅（横幅）は、誘導部材１２の幅と同程度であることが好ましく、入賞装置取付孔５の高さ（上下幅）は、誘導部材１２の高さと同程度であって、なおかつ、遊技球の直径よりも大きく直径の２倍よりも小さい寸法であると好ましい。加えて、大型入賞装置８を設置した後の入賞装置取付孔５の高さ（上下幅）は、遊技球の直径よりも大きい寸法であれば、できるだけ小さい寸法（たとえば、遊技球の直径の１．５倍）である方が好ましい。
【００２０】
一方、図１に示すように、遊技盤３の裏側には、大型の液晶画面を有する図柄表示装置９が設置されており、図柄表示装置９に表示された図柄が透明な遊技盤３の前方から見えるようになっている。また、遊技領域Ｒの下方には、遊技球を貯留させるための供給皿１９と貯留皿２０とが、上下に連設されており、供給皿１９の右側には、遊技領域Ｒに遊技球を発射するための発射装置（図示せず）が内蔵されている。さらに、貯留皿２０の右側には、発射装置を操作するための発射ハンドル２１が突設されている。加えて、図示されていないが、遊技盤３の盤面の裏側には、遊技盤３に設置された各種の入賞装置や図柄表示装置９を作動させるための各種の作動装置が設置されている。
【００２１】
＜パチンコ機の作動内容＞
上記の如く構成されたパチンコ機１においては、遊技者等によって発射ハンドル２１が回動操作されると、発射装置によって遊技球が発射され、発射された遊技球は、誘導レール６に沿って遊技領域Ｒの上部へ誘導される。そして、誘導された遊技球は、障害釘７，７・・と次々に衝突しながら、遊技盤３の盤面上を流下する。また、遊技盤３の盤面上を流下する遊技球が各種の入賞装置に入賞した場合（たとえば、内部の入賞球検知器によって検知された場合）には、賞品球として、所定数の遊技球が、遊技球払出装置（図示せず）によって払い出される。また、遊技領域Ｒに打ち込まれた遊技球が、変動入賞装置（図示せず）に入賞した場合には、図柄表示装置９において演出表示（動画等による図柄の変動表示）を行うとともに、内部で抽選（乱数カウンタによる乱数の取得）を行い、所定の結果となった場合には、図柄表示装置９に所定の「大当たり図柄」を表示するとともに、「大当たり」を生起させるようになっている。
【００２２】
「大当たり」が生起すると、通常時においては開口部１６の上面を覆っている開閉扉１１が、図示しない作動装置によって、所定の回数だけ断続的に後方へスライドし、開口部１６を露出させる（なお、開口部１６が露出した状態は、透明な遊技盤３を介して遊技者から視認できる）。そして、そのように開口部１６が露出すると、誘導部材１２から導かれた遊技球の一部が開口部１６内に入り込んで入賞する（遊技球通路を通過して入賞球検知器２３に検出される）。したがって、「大当たり」が生起した場合には、遊技者は多くの賞品球を獲得することが可能となる。
【００２３】
なお、通常時においては、開閉扉１１が開口部１６の上面を覆っているため、流下して誘導部材１２に受け止められた遊技球は、開閉扉１１の両サイドに設けられたアウト球回収口２２，２２から、アウト球（非入賞球）として回収されるようになっている。また、開閉扉１１の上面は、中心から左右にかけて下向きに傾斜した屋根状になっているので、遊技球が停留したりしない。
【００２４】
＜パチンコ機の効果＞
パチンコ機１は、上記の如く、遊技盤３が、透明な合成樹脂によって形成されたものであるとともに、遊技盤３の裏面側に、遊技盤３の表面側から流下した遊技球を入賞させるための開口部１６と、その開口部１６を開閉するための開閉扉１１とが設けられている。したがって、遊技盤３の裏側に設置された開閉扉１１を遊技者から視認することができる。また、遊技盤３の表面側のスペースを広く利用することができる。それゆえ、従来のパチンコ機に比べて、障害釘や図柄表示装置を多様にレイアウトすることができるので、遊技内容の趣向性を容易に高くすることができる。
【００２５】
また、パチンコ機１は、遊技盤３の表面側から開口部１６へ遊技球を誘導するための誘導部材１２が設けられており、遊技盤３の表面側の遊技球が誘導部材１２によって開口部１６に導かれるので、遊技球を開口部１６へ入賞させることができる。
【００２６】
さらに、パチンコ機１は、開閉扉１１が遊技盤３に対して直交するように設けられており、前後にスライドすることによって開口部１６を開閉するため、大掛かりな駆動装置を必要とすることなく、わずかな駆動力で確実に開口部１６を開閉することができる。加えて、パチンコ機１は、開閉扉１１が前後にスライドするものであるため、遊技盤の盤面に平行に設けられた開口部を開閉扉が開閉する一般的な遊技機に比べて、開閉扉１１を設置するための上下方向の配置スペースが小さくすむため、当該スペースを他の用途に有効に利用することができる。さらに、パチンコ機１は、開閉扉１１の下側に開口部１６が設けられているので、開口部１６において球詰まり等の不具合が生じた場合に、遊技盤３の前方から球詰まり等の解消処理を行い易い。
【００２７】
＜パチンコ機の変更例＞
なお、本発明の遊技機の構成は、上記実施形態の態様に何ら限定されるものではなく、遊技盤、開口部、開閉扉、誘導部材等の形状・構造等の構成を、本発明の趣旨を逸脱しない範囲で適宜変更することができる。
【００２８】
たとえば、本発明の遊技機は、上記実施形態の如く、開口部から遊技球が入賞した場合に所定の賞品球を払い出すものに限定されず、開口部から遊技球が入賞した場合に内蔵された制御装置内で抽選等を行うものや、開口部から遊技球が入賞した場合に他の入賞装置を開口させるもの等に変更することも可能である。
【００２９】
また、本発明の遊技機は、上記実施形態の如く、開閉扉が前後にスライドすることにより開口部を開閉するものに限定されず、開閉扉が下端縁に沿った水平軸を中心として片開きすることにより開口部を開閉するものや、複数に分割された開閉扉が相対的に離反することによって開口部を開閉するもの等に変更することも可能である。
【００３０】
さらに、遊技盤の材質は、アクリル樹脂に限定されず、ポリカーボネート、ポリイミド、ＰＥＥＫ、ＰＰＳ等のポリカーボネート以外の合成樹脂に変更することも可能である。加えて、遊技盤に設ける障害釘は、金属製のものに限定されず、合成樹脂製の障害釘を設けることも可能である。
【００３１】
また、誘導部材は、上記実施形態の如く、遊技盤の表面側に当着板を当接させることによって設置するものに限定されず、遊技盤の裏面側から表面側へ誘導部材を挿通させるだけのものでも良い。そのように構成した場合には、誘導部材を固定するためのスペースを遊技盤の表面側に設ける必要がなくなるので、入賞装置取付孔以外のスペースを障害釘や他の部材を設置するためのスペースとして有効に活用することが可能となる。
【００３２】
加えて、誘導部材は、上記実施形態の如く、入賞装置と別個に設けられたものに限定されず、入賞装置に一体的に設けられたもの（一体成形に限らず、一体的に組み付けられた場合を含む）でも良い。図５は、誘導部材１２を一体的に設けた大型入賞装置８を示したものであり、このように誘導部材を入賞装置に一体的に設けて当接板の構成を省略した場合には、遊技盤の裏面側に入賞装置を設置すれば誘導部材も固定されるため、遊技盤の表面側の入賞装置取付孔以外のスペースを有効に活用することが可能となる。
【図面の簡単な説明】
【００３３】
【図１】パチンコ機の正面図である。
【図２】遊技盤の前方斜視図である。
【図３】遊技盤の後方斜視図である
【図４】大型入賞装置の設置部位を示す説明図である（ａは平面図であり、ｂは右側面図である）。
【図５】大型入賞装置の設置部位の右側面を示す説明図である。
【００３４】
１・・パチンコ機、３・・遊技盤、１１・・開閉扉、１２・・誘導部材、１６・・開口部、Ｒ・・遊技領域。
【図１】
0005083550.tif 000002
【図２】
0005083550.tif 000003
【図３】
0005083550.tif 000004
【図４】
0005083550.tif 000005
【図５】
0005083550.tif 000006